(57)【特許請求の範囲】
【請求項１】
所定の条件を満たすと特定遊技状態が発生し大入賞口が開放され、該大入賞口内の継続入賞口に遊技球が入賞することによって該大入賞口の開放動作が直ちに停止され、所定の継続回数を限度として該大入賞口が新たな開放動作を開始するように設定されたパチンコ遊技機において、大入賞口内に特別入賞口と普通入賞口を設け、該特別入賞口には大入賞口の開放動作中に１個の遊技球だけが入賞し得るようにする通過封鎖手段を設けると共に、大入賞口内であって該特別入賞口の下流に複数の停留装置を設けることで該特別入賞口を通過した遊技球が該各停留装置のうちのいずれかに停留するようにし、該各停留装置は遊技球の停留解除時期をそれぞれ異なるように設定し、前記継続入賞口を該各停留装置から停留解除された遊技球が入賞するように該各停留装置の下流に設けてなることを特徴とするパチンコ遊技機。
【請求項２】
各停留装置は、外周部に切欠状の球受部が形成された円盤状の回転体をモータによって低速回転し得るように設けてなり、該各停留装置の回転体の回転速度を異ならせることにより遊技球の停留解除時期をそれぞれ異ならせるようにした請求項１に記載のパチンコ遊技機。
【請求項３】
各停留装置は、外周部に切欠状の球受部が形成された円盤状の回転体をモータによって低速回転し得るように設けてなり、該各停留装置の回転体の回転開始時期を異ならせることにより遊技球の停留解除時期をそれぞれ異ならせるようにした請求項１に記載のパチンコ遊技機。
【請求項４】
各停留装置は、外周部に切欠状の球受部が形成された円盤状の回転体をモータによって低速回転し得るように設けてなり、大入賞口への入賞個数が一定数に達する度に順に各停留装置の回転体を回転させることにより遊技球の停留解除時期をそれぞれ異ならせるようにした請求項１に記載のパチンコ遊技機。
【発明の詳細な説明】
【０００１】
【発明の属する技術分野】
本発明は特定の条件を満たしたときに特定遊技状態が発生し大入賞口（可変入賞装置）が継続的に開成され遊技球が極めて入賞し易くなるように構成されたパチンコ遊技機に関するものである。
【０００２】
【従来の技術】
従来から「ヒコーキ」，「羽根物」等と称されている第２種パチンコ遊技機は、周知のように、一対の羽根からなる大入賞口が遊技盤に設けられ、所定の始動口に遊技球が入賞すると、ソレノイドが作動して該羽根が１回ないし２回開閉作動し、遊技盤面を流下する遊技球がこの羽根で捕捉され該大入賞口に入り易くなるように構成されている。そしてこの大入賞口内にはさらにＶゾーンと称される継続入賞口が設けられ、大入賞口に入賞した遊技球がこの継続入賞口に入賞した場合は特定遊技状態（大当たり）が発生し、ソレノイドの作動により該羽根が１８回程継続的に開閉し（第１ラウンドが始まる）、その間に該大入賞口に１０個まで遊技球が入賞し得るようになりその第１ラウンドの間に該大入賞口に入賞した遊技球の内少なくとも１個が継続入賞口に入賞した場合は、第２ラウンドが開始されて羽根の継続的開閉がさらに繰り返され、以下同様に、最高１５ラウンドまで繰り返され、このような大当たりの期間中に多数の景品球を獲得できるようにしたものである。
【０００３】
【発明が解決しようとする課題】
ところで、従来のこの種のパチンコ遊技機は、通常遊技時は、遊技球が始動口→大入賞口→継続入賞口の順に入賞することを目指すだけであって、遊技内容としては極めて単純であったので、遊技者の興味が次第に損なわれる状況にあった。また、上記の継続回数、即ち繰返し可能回数を乱数発生回路によって決められる変数により決定させたり、最初に継続入賞口に入賞したときに停止した図柄によって継続入賞口への入賞のし易さを変化させたり、最大継続回数を制限したりすることもなされていたが、なおも娯楽性が十分でなかった。
【０００４】
そこで本発明はこのような状況に鑑み、パチンコ遊技機に従来にない斬新な要素を取り入れることでパチンコ遊技の興趣を増大させようとするものである。
【０００５】
【課題を解決するための手段】
そのために本発明のパチンコ遊技機は、所定の条件を満たすと特定遊技状態が発生し大入賞口が開放され、該大入賞口内の継続入賞口に遊技球が入賞することによって該大入賞口の開放動作が直ちに停止され、所定の継続回数を限度として該大入賞口が新たな開放動作を開始するように設定されたパチンコ遊技機において、大入賞口内に特別入賞口と普通入賞口を設け、該特別入賞口には大入賞口の開放動作中に１個の遊技球だけが入賞し得るようにする通過封鎖手段を設けると共に、大入賞口内であって該特別入賞口の下流に複数の停留装置を設けることで該特別入賞口を通過した遊技球が該各停留装置のうちのいずれかに停留するようにし、該各停留装置は遊技球の停留解除時期をそれぞれ異なるように設定し、前記継続入賞口を該各停留装置から停留解除された遊技球が入賞するように該各停留装置の下流に設けてなることを特徴とする。
また、本発明は上記パチンコ遊技機において、各停留装置は、外周部に切欠状の球受部が形成された円盤状の回転体をモータによって低速回転し得るように設けてなり、該各停留装置の回転体の回転速度を異ならせることにより遊技球の停留解除時期をそれぞれ異ならせるようにしたことを特徴とする。
また、本発明は上記パチンコ遊技機において、各停留装置は、外周部に切欠状の球受部が形成された円盤状の回転体をモータによって低速回転し得るように設けてなり、該各停留装置の回転体の回転開始時期を異ならせることにより遊技球の停留解除時期をそれぞれ異ならせるようにしたことを特徴とする。
また、本発明は上記パチンコ遊技機において、各停留装置は、外周部に切欠状の球受部が形成された円盤状の回転体をモータによって低速回転し得るように設けてなり、大入賞口への入賞個数が一定数に達する度に順に各停留装置の回転体を回転させることにより遊技球の停留解除時期をそれぞれ異ならせるようにしたことを特徴とする。
【０００６】
【発明の実施の形態】
次に本発明を第２種パチンコ遊技機に適用した実施の形態を図面に従い説明する。図１は本発明に係るパチンコ遊技機の遊技盤１を示すもので、図中、２は天入賞口、３，３は通常入賞口、４，４は１回用始動口、５は２回用始動口である。６は図２に拡大して示したように遊技盤１の中央部に設けられた大入賞口で、該大入賞口の上両肩部に遊技球入口７，７が設けられ、該遊技球入口に支軸８，８に支持することで後述するソレノイド９に作動により仮想線で示したように該遊技球入口を開閉させる一対の羽根１０，１０が対称的に設けられ、その開成時に遊技盤面を流下する遊技球が該遊技球入口７，７より該大入賞口内に入り得るようにしている。１１，１１は該大入賞口に入った遊技球を検出するために該各遊技球入口の内側に設けられたカウントスイッチである。
【０００７】
１２はカウントスイッチ１１，１１を通過し落下した遊技球が自在に遊動するように大入賞口内に緩やかな後傾状に形成された傾斜棚で、該傾斜棚の後壁面１３の中央に特別入賞口１４が形成され、該特別入賞口の両側に普通入賞口１５，１５が形成されている。１６は特別入賞口１４に入賞した遊技球を検出する通過検出スイッチである。また、１７は後述するソレノイド３２の作動によって該特別入賞口に出没動する通過封鎖突起である。該傾斜棚１２の下段には緩やかな前傾状なるように傾斜棚１８が形成され、特別入賞口１４に入賞した遊技球はその直下に形成された通過口１９から該傾斜棚１８上に放出される。なお普通入賞口１５，１５に入賞した遊技球は遊技盤１の裏側に流落し、前記天入賞口２，通常入賞口３，始動口４，始動口５等に入賞した遊技球とともに賞球払出装置（図示せず）を作動させ所定数の景品球を放出させる。
【０００８】
２０ａ，２０ｂ，２０ｃは該大入賞口６内に並設された左停留装置と中停留装置と右停留装置で、該各停留装置は円形枠２１の上端部に流入口２２、下端部に流出口２３が形成され、外周部に１つの切欠状の球受部２４が形成された円盤状の回転体２５ａ，２５ｂ，２５ｃを後述するモータ２６ａ，２６ｂ，２６ｃによって夫々図示矢印方向に低速回転し得るように設け、該各停留装置の流入口２２が前記傾斜棚１８の前縁に並ぶように設けるとともに、流出口２３の下に集合樋２７を設け、その流下端に継続入賞口２８を設け、該継続入賞口に入賞した遊技球が後述する継続入賞検知スイッチ２９により検出されるようにしている。なお継続入賞口に入賞した遊技球は遊技盤１の裏側に流落し賞球払出装置を作動させる。なお、該各モータ２６ａ，２６ｂ，２６ｃは回転速度が夫々異なるように設定され、モータ２６ａは回転体２５ａを１０秒間で半回転（１８０度）させ、モータ２６ｂは回転体２５ｂを２９秒間で半回転させ、モータ２６ｃは回転体２５ｃを２０秒間で半回転させる。
【０００９】
そして、前記１回用始動口４，４に入賞した遊技球を検知するスイッチ３０，３０、２回用始動口５に入賞した遊技球を検知するスイッチ３１、および、前記カウントスイッチ１１，１１，通過検出スイッチ１６，継続入賞検知スイッチ２９は、図３のブロック図に示したように、その検出信号をＣＰＵ，ＲＡＭ，ＲＯＭからなるマイクロコンピュータに伝達する。そして該マイクロコンピュータは、ソレノイド９，ソレノイド３２，モータ２６ａ，２６ｂ，２６ｃ、およびランプ制御基板３３，音声発生基板３４等に作動を指令する。
【００１０】
次にこのパチンコ遊技機の作動を図４のフローチャートに従い説明する。図４中のステップａは、前記継続入賞口２８に入賞した遊技球が継続入賞検知スイッチ２９により検知された場合にステップｂに移行し大当たり動作ルーチン（図５に示す）を実行させるものである。また、ステップｃにて、１回用始動口４または２回用始動口５に遊技球が入賞したことが検出されると、ステップｄにてソレノイド９が作動し、１回用始動口４に遊技球が入賞していたときは羽根１０，１０を０．５秒間１回開閉させ、２回用始動口５に入賞したときは該羽根を１秒間２回開閉させ、該羽根１０，１０に遊技球が捕捉されて大入賞口６内に入り得るようにするとともに、ステップｅにてソレノイド３２を作動させ通過封鎖突起１７を収縮させて特別入賞口１４への入賞を可能にする。
【００１１】
そして大入賞口内に遊技球が入ると、その遊技球はカウントスイッチ１１，１１を通過して傾斜棚１２上に落下し、特別入賞口１４または普通入賞口１５，１５に入賞する。そしてステップｆにて特別入賞口１４に入賞した遊技球が通過検出スイッチ１６により検出されることでステップｇにてソレノイド３２を作動させ通過封鎖突起１７により該特別入賞口を封鎖させるので、１個の遊技球だけが特別入賞口１４に入賞し得る。
【００１２】
特別入賞口１４に入賞した遊技球は通過口１９から傾斜棚１８上に放出されて該傾斜棚１８上で自在に遊動することによって３つの停留装置２０ａ，２０ｂ，２０ｃのうちのいずれかの流入口２２に流下しその球受部２４に停留する。そして通過検出スイッチ１６により該遊技球が検出されてから数秒後にステップｈ，ｉにて該各停留装置の回転体２５ａ，２５ｂ，２５ｃが回転を始める。そして、左停留装置２０ａの回転体２５ａは１０秒間で半回転（１８０度）し、中停留装置２０ｂの回転体２５ｂは２９秒間で半回転し、右停留装置２０ｃの回転体２５ｃは２０秒間で半回転し、球受部２４に停留した遊技球を流出口２３より排出し集合樋２７を通って継続入賞口２８に入賞させることで、前記ステップｂから図５に示した大当たり動作ルーチンに移行する。なお、該各回転体は一周した後に停止する。
【００１３】
図５に示した大当たり動作ルーチンのフローチャートでは、ステップＡにて継続回数（ラウンド数）の記憶数に１を加算し、ステップＢにてソレノイド９を作動させ羽根１０，１０の継続的開閉動を開始することで該大入賞口への遊技球の入球を可能にするとともに、ステップＣにてソレノイド３２を作動させ通過封鎖突起１７を収縮させることで特別入賞口１４への入賞を可能にする。そして大入賞口内に入った遊技球が該特別入賞口１４に入賞すると通過封鎖突起１７により該特別入賞口を封鎖させ（ステップＤ，Ｅ）、上記と同様に１個の遊技球だけが該特別入賞口１４に入賞し得るようにし、ステップＧにて停留装置２０ａ，２０ｂ，２０ｃを回転作動させる。
【００１４】
そして、ステップＨにて継続入賞口２８への入賞が検知されたときはステップＱに移行して羽根１０，１０の開閉動が停止されステップＡに戻る。また検知されないときはステップＩに移行する。ステップＩでは上記ステップＢにて大入賞口の開閉動作が開始されてから所定時間（３０秒）が経過したかどうかが判定され、ステップＪ，Ｋ，Ｌでは前記カウントスイッチ１１，１１による遊技球の計数個数が所定個数（１０個）に達したかどうかが判定され、そのいずれかであればステップＭにて羽根１０，１０の開閉動が停止され、ステップＮにて停留装置の回転体２５ａ，２５ｂ，２５ｃの回転速度が速められることによって、球受部２４に遊技球が停留していたとするとその遊技球を早期に流出口２３より排出させ継続入賞口２８に入賞させるようにする。
【００１５】
そしてステップＯにて継続回数（ラウンド数）の記憶数が所定回数（１６回）に達したかどうかを判定し、達していれば図４のメインルーチンにリターンし、達していなければさらにステップＰにて継続入賞口に入賞していたかどうかを判定し入賞していた場合はステップＡに戻り継続回数が所定回数に達するまでこの大当たり動作が繰り返される。このため継続入賞口に遊技球が入賞することを条件として、こうした大入賞口の開放が予め決められた継続回数（ラウンド数）を限度として繰り返され、この特定遊技状態の期間中に多数の景品球を得ることができる。
【００１６】
そしてこの大当たり動作中は、遊技球が継続入賞口に入賞するとステップＨからステップＱに移行して大入賞口の開放動作が直ちに停止され、ステップＡ，Ｂを経ることによって大入賞口は新たなラウンドによる開放動作を開始する。このため遊技球が早期に継続入賞口に入賞するとステップＡによって早期に継続回数が繰り上がり、ステップＯにてその継続回数が判定されることで早期にこの大当たり動作（特定遊技状態）が終了することとなる。そこで遊技者としてはなるべくゆっくり継続入賞口に入賞するのを願い、この場合は回転速度が最も遅い中停留装置２０ｂに遊技球が停留することを期待し、２番目には次に回転速度が遅い右停留装置２０ｃに遊技球が停留することを期待することとなる。
【００１７】
なおこの実施形態では３つの停留装置２０ａ，２０ｂ，２０ｃの回転速度を変えることで該各停留装置の停留解除条件を異ならせるようにしたが、各停留装置が回転を開始する時期を異ならしめることで各停留装置の停留解除条件が夫々異なるように構成してもよい。そのためには、図６に停留装置回転のサブルーチンを例示したように、例えば左停留装置２０ａは大入賞口が開閉動開始した後１０秒経過したときに回転を開始し、中停留装置２０ｂは大入賞口が開閉動開始した後３０秒経過したときに回転を開始し、右停留装置２０ｃは大入賞口が開閉動開始した後２０秒経過したときに回転を開始するようにプログラミングすればよい。なお、図７は上記各時期における各停留装置の回転状態を示したものである。
【００１８】
或いは、図８のフローチャートに示したように、カウントスイッチ１１，１１によって検出される入賞個数が３個になると左停留装置２０ａが回転し、５個になると右停留装置２０ｃが回転し、１０個になると中停留装置２０ｂが回転するように、大入賞口への入賞個数が一定数に達する度に順に停留装置を回転させ、各停留装置の停留解除条件を異ならせることも可能である。図９は上記各時期における各停留装置の回転状態を示したものである。これらの例でも中停留装置２０ｂに遊技球が停留すれば遊技者にとって最も有利になることは言うまでもない。
【００１９】
【発明の効果】
以上説明したように本発明のパチンコ遊技機は、所定の条件を満たすと特定遊技状態が発生し大入賞口が開放され、該大入賞口内の継続入賞口に遊技球が入賞することによって該大入賞口の開放動作が直ちに停止され、所定の継続回数を限度として該大入賞口が新たな開放動作を開始するように設定されたパチンコ遊技機において、大入賞口内に特別入賞口と普通入賞口を設け、該特別入賞口には大入賞口の開放動作中に１個の遊技球だけが入賞し得るようにする通過封鎖手段を設けると共に、大入賞口内であって該特別入賞口の下流に複数の停留装置を設けることで該特別入賞口を通過した遊技球が該各停留装置のうちのいずれかに停留するようにし、該各停留装置は遊技球の停留解除時期をそれぞれ異なるように設定し、前記継続入賞口を該各停留装置から停留解除された遊技球が入賞するように該各停留装置の下流に設けてなり、遊技球がどの停留装置に停留するかによって大当たり中に大入賞口に入賞し得る個数、即ち、景品球獲得数に大きな影響が出て遊技者にとって有利または不利な状況となり得るので、従来のパチンコ遊技機にない斬新な要素が取り入れられ、パチンコの興趣を増大させる効果がある。
【図面の簡単な説明】
【図１】  本発明に係るパチンコ遊技機の実施形態を示す遊技盤の正面図。
【図２】  図１の大入賞口の正面図。
【図３】  本発明に係るパチンコ遊技機の実施形態を示すブロック図。
【図４】  本発明に係るパチンコ遊技機の実施形態を示すフローチャート。
【図５】  本発明に係るパチンコ遊技機の実施形態を示すフローチャート。
【図６】  本発明に係るパチンコ遊技機の実施形態を示すフローチャート。
【図７】  本発明に係るパチンコ遊技機の実施形態を示す停留装置の回転状態図。
【図８】  本発明に係るパチンコ遊技機の実施形態を示すフローチャート。
【図９】  本発明に係るパチンコ遊技機の実施形態を示す停留装置の回転状態図。
【符号の説明】
１                        遊技盤
４，５                    始動口
６                        大入賞口
１０                      羽根
１４                      特別入賞口
１５                      普通入賞口
１６                      通過検出スイッチ
１７                      通過封鎖突片
２０ａ，２０ｂ，２０ｃ    停留装置
２５ａ，２５ｂ，２５ｃ    回転体
２６ａ，２６ｂ，２６ｃ    モータ
２７                      集合樋
２８                      継続入賞口
【図１】
0003749429.tif 000002
【図２】
0003749429.tif 000003
【図３】
0003749429.tif 000004
【図４】
0003749429.tif 000005
【図５】
0003749429.tif 000006
【図６】
0003749429.tif 000007
【図７】
0003749429.tif 000008
【図８】
0003749429.tif 000009
【図９】
0003749429.tif 000010